(57)【要約】      （修正有）【課題】初心者でも容易に音を出すことができ児童楽器としても使い易くしかも格安で大量に購入できる雅楽管楽器のリード具を提供する。【解決手段】雅楽管楽器Ｐの吹口側開口端に挿脱可能なリード具１をプラスチック製の部材によって成形し、所望の音が出せるような状態に開口幅Ｌの大きさを任意に設定して成る吹口部５を形成可能にする。またリード具１は、雅楽管楽器Ｐの吹口側開口端に挿着する側である半円部から吹口部５側に向かって外形状が次第に偏平となって半割形成した上側半割体１Ａ、下側半割体１Ｂの組合せによって形成すると共に、各半割体１Ａ，１Ｂの半割開口側の端縁部には相互に嵌合する係合突部２、係合溝部３を設けてある。【選択図】図２
0003109960.tif 000002
【実用新案登録請求の範囲】
【請求項１】
雅楽管楽器の吹口側開口端に挿脱可能なリード具をプラスチック製の部材によって成形して成ることを特徴とする雅楽管楽器用リード具。
【請求項２】
リード具は、所望の音が出せるような状態に開口幅の大きさを任意に設定して成る吹口部を有する請求項１記載の雅楽管楽器用リード具。
【請求項３】
リード具は、雅楽管楽器の吹口側開口端に挿着される側である半円部から吹口部側に向かって外形状が次第に偏平となって半割形成されている上側半割体、下側半割体の組合せによって形成されていると共に、各半割体の半割開口側の端縁部には相互に嵌合される係合突部、係合突起を設けてある請求項１または２記載の雅楽管楽器用リード具。
【請求項４】
リード具は、成形時において予め吹口部の開口幅を若干大きめに設定しておき、吹口部側から差し込んだ状態で前後にスライド移動させることで吹口部の開口幅を縮小・拡大可能にさせるプラスチック製のセメ具を備えた請求項１乃至３のいずれか記載の雅楽管楽器用リード具。
【考案の詳細な説明】
【技術分野】
【０００１】
この考案は、例えば篳篥（ヒチリキ）に使用される廬舌（ロゼツ）等の雅楽管楽器用リード具に関するものである。
【背景技術】
【０００２】
従来、空気の振動を利用して音を出すために例えば篳篥等の雅楽管楽器の吹口側開口端に挿着される例えば廬舌等の所謂リード具は、葦・竹・木等の材質のものを一般に使用している。リード具として例えば廬舌等は、先ず素材を選定してからこれに下拵えを行ない、次いでひしぎ作業、削り作業、仕上げ磨き等の各工程を経ることで製作されるもので非常に面倒で且つ高価なものである。特にひしぎの作業は、湿度のある６月頃の時期に、熱したひしぎコテでひしぐように挟んで炙るので非常に面倒で時間のかかる作業である。
【０００３】
また、雅楽管楽器の吹奏に際し、初心者ではなかなか音が出ないため、雅楽管楽器専門の調律師がリード具の吹口部に例えば竹製のセメ具を差し込んで前後にスライド移動させることで吹口部における開口幅を適宜調節しながら吹口部に口を着けて思い切り膨らませることで音の調律が行なわれる。例えばセメ具をリード具の奥に差し込み過ぎると、吹口部の開口幅が狭くなって音が高く細くなり息が詰まりやすくなる。一方、差し込まれたセメ具がリード具の吹口部に近いと、吹口部の開口幅が広くなり過ぎて共鳴しなくなり音が出なくなる。このようにセメ具を上手に使いこなすことにより、雅楽管楽器の美しい吹奏が可能となるのである。また、雅楽管楽器を吹奏しないときには、帽子と称される木製の蓋体によって吹口部を閉蓋し、桐箱内に収納しておくのである。
【特許文献１】特になし
【考案の開示】
【考案が解決しようとする課題】
【０００４】
しかしながらこのような従来における廬舌等のリード具では、雅楽管楽器を吹奏するに際しリード具の吹口部の開口幅が広すぎても狭すぎても不可であり、このため雅楽管楽器専門の調律師である師匠自らがリード具の吹口部にセメ具を差し込んで吹口部の開口幅を調節することにより音の調律を行なうという非常に面倒な作業が必要とされ、初心者である弟子自身による音の調律が殆ど不可能に近かった。しかも長期間もの間に音調律用のセメ具をスライド移動させることによってリード具自体が削られて摩耗したり亀裂が生じたりしてしまい希望とする音が出せるような調律が困難になる等、半永久的に使用することができないものであった。また調律師、師匠が各種の伝染病等の感染病にかかっている場合、弟子に容易に感染してしまう虞れがある等の問題点を有していた。
【０００５】
そこでこの考案は叙上のような従来存した諸事情に鑑み案出されたもので、雅楽管楽器専門の調律師により音の調律を行なわなくても、リード具の吹口部から所望の音が出せるような状態に吹口部の開口幅を予め成形しておくことができ、初心者でも容易に音が出せるものとすると共に、例えば小学校や中学校等の教材用児童楽器としても使い易くしかも格安で大量に購入でき、また音調律用のセメ具を使用するとしても摩耗によって切削破損されたり亀裂を生じさせたりすることなく半永久的に使用できるものとした雅楽管楽器用リード具を提供することを目的とする。
【課題を解決するための手段】
【０００６】
上述した課題を解決するため、この考案にあっては、雅楽管楽器Ｐの吹口側開口端に挿脱可能なリード具１をプラスチック製の部材によって成形して成るものである。
リード具１は、所望の音が出せるような状態に開口幅Ｌの大きさを任意に設定して成る吹口部５を有するものとできる。
リード具１は、雅楽管楽器Ｐの吹口側開口端に挿着される側である半円部から吹口部５側に向かって外形状が次第に偏平となって半割形成されている上側半割体１Ａ、下側半割体１Ｂの組合せによって形成されていると共に、各半割体１Ａ，１Ｂの半割開口側の端縁部には相互に嵌合される係合突部２、係合溝部３を設けてあるものとできる。
リード具１は、成形時において予め吹口部５の開口幅Ｌを若干大きめに設定しておき、吹口部５側から差し込んだ状態で前後にスライド移動させることで吹口部５の開口幅Ｌを縮小・拡大可能にさせるプラスチック製のセメ具７を備えたものとできる。
【０００７】
以上のように構成されたこの考案に係る雅楽管楽器用リード具にあって、プラスチック製の部材によって成形して成るリード具１は、低コスト化と量産化を可能にさせると共に、吹奏者側に対し格安で大量購入を可能にさせ、しかもリード具１の振動を雅楽管楽器Ｐに伝達させての吹奏の使い易さを向上させる。
所望の音が出せるような状態に開口幅Ｌの大きさを任意に設定して成る吹口部５は、当該吹口部５に口を着けて思い切り膨らませることでリード具１の振動を雅楽管楽器Ｐに伝達させての吹奏が初心者でも容易に可能にさせ、吹奏前の雅楽管楽器専門の調律師による音の調律を不要にさせる。
上側半割体１Ａ、下側半割体１Ｂから成るリード具１は、各半割体１Ａ，１Ｂの半割開口側同士を対向させて係合突部２を係合溝部３に嵌合させることで、雅楽管楽器Ｐの吹口側開口端に挿着される円筒部４から吹口部５側に向かって筒形状が次第に偏平となったリード具１が組み立てられ、所望の音が出せるような状態の開口幅Ｌを有する吹口部５を形成させる。
吹口部５側から差し込んだセメ具７は、前後にスライド移動させることで吹口部５の横長の開口幅Ｌを縮小したり拡大したりされ、音の調律を自在に行なわせる。
【考案の効果】
【０００８】
この考案は以上のように構成されているために、篳篥等の雅楽管楽器Ｐを吹奏するに際し、専門の調律師により音の調律を行なわなくても、廬舌のようなリード具１の吹口部５によって吹奏することで所望の音が出せるような状態に廬舌自体の吹口部５の開口幅Ｌを成形しておくことができ、初心者でも容易に音が出せるものとなるのである。しかも、例えば小学校や中学校等の教材用児童楽器としても使い易くなると共に、格安で大量に購入でき、また音調律用のセメ具７の使用によっても摩耗によって切削破損されたり亀裂を生じさせたりすることなく半永久的に使用することができる。
【０００９】
すなわちこれはこの考案において、雅楽管楽器Ｐの吹口側開口端に挿脱可能なリード具１をプラスチック製の部材によって成形して成るからであり、これによって、低コスト化と量産化が可能となると共に、吹奏者側に対しても格安で大量購入が可能となり、しかもリード具１の振動を雅楽管楽器Ｐに伝達させての吹奏の使い易さも向上する。
【００１０】
リード具１は、所望の音が出せるような状態に開口幅Ｌの大きさを任意に設定して成る吹口部５を有するので、当該吹口部５に口を着けて思い切り膨らませることでリード具１の振動を雅楽管楽器Ｐに伝達させての吹奏が初心者でも容易に可能となり、吹奏前の雅楽管楽器専門の調律師による音の調律が不要となる。
【００１１】
リード具１は、雅楽管楽器Ｐの吹口側開口端に挿着される側である半円部から吹口部５側に向かって外形状が次第に偏平となって半割形成されている上側半割体１Ａ、下側半割体１Ｂの組合せによって形成されていると共に、各半割体１Ａ，１Ｂの半割開口側の端縁部には相互に嵌合される係合突部２、係合溝部３を設けてあるので、各半割体１Ａ，１Ｂの半割開口側同士を対向させて係合突部２を係合溝部３に嵌合させることで、雅楽管楽器Ｐの吹口側開口端に挿着される円筒部４から吹口部５側に向かって筒形状が次第に偏平となったリード具１が容易に組み立てられ、所望の音が出せるような状態の開口幅Ｌを有する吹口部５を容易に形成することができる。
【００１２】
リード具１は、成形時において予め吹口部５の開口幅Ｌを若干大きめに設定しておき、吹口部５側から差し込んだ状態で前後にスライド移動させることで吹口部５の開口幅Ｌを縮小・拡大可能にさせるプラスチック製のセメ具７を備えたので、セメ具７を前後に強制的にスライド移動させることで吹口部５の開口幅Ｌを容易に縮小したり拡大したりでき、音の調律を自在に行なうことができる。
【考案を実施するための最良の形態】
【００１３】
以下、図面を参照してこの考案の一実施の形態を説明すると、図において示される符号１は、空気の振動を利用して音を出すために例えば篳篥等の竹製もしくは合成樹脂製等の雅楽管楽器Ｐの吹口側開口端に挿着される所謂廬舌と称されるリード具である。このリード具１自体は、約５．５〜６．０ｃｍ程度の長さに形成されており、例えば熱硬化性プラスチック・熱可塑性プラスチック等のプラスチック部材によって例えば鋳型・金型等を使った圧縮成形・移送成形・射出成形等によって一体にあるいは組合せることで形成してある。尚、雅楽管楽器Ｐとしては篳篥の他に龍笛や能管等であっても良い。
【００１４】
図３（ａ）、（ｂ）に示すように、リード具１は、雅楽管楽器Ｐの吹口側開口端に挿着される側である半円部から吹口部５側に向かって外形状が次第に偏平となったそれぞれ上側半割体１Ａ、下側半割体１Ｂの２つに半割形成されている。また各半割体１Ａ，１Ｂの半割開口側の一端縁部には凸片状の係合突部２を形成し、他端縁部には係合突起２が係合可能となるような凹状もしくは段差状の係合溝部３が形成されており、各半割体１Ａ，１Ｂの半割開口側同士を対向させて係合突部２を係合溝部３に嵌合させることで、雅楽管楽器Ｐの吹口側開口端に挿着される円筒部４から吹口部５側に向かって筒形状が次第に偏平となって当該吹口部５側に横長偏平な開口幅Ｌを有するリード具１が組み立てられるようにしてある。尚、場合によっては、図２（ｃ）に示すように、半割体１Ａ，１Ｂのいずれか一方の半割開口側の両端縁部それぞれを係合突部２とし、いずれか他方の半割開口縁部それぞれを係合溝部３とすることも可能である。
【００１５】
このときリード具１は、例えば個人差に応じて吹口部５から所望の音が出せるような状態に当該吹口部５の開口幅Ｌの大きさを任意に設定してある。また、開口幅Ｌの大きさの異なる吹口部５を備えた複数のリード具１を用意しておき、吹奏に際しこれらリード具１のうちいずれか自分に合ったものを適宜選択することにより、雅楽管楽器専門の調律師による吹奏前の音の調律が無用となる。
【００１６】
尚、上側半割体１Ａ、下側半割体１Ｂのそれぞれの半割開口側の端縁部に接着剤を塗布してから両半割体１Ａ，１Ｂの半割開口側同士を合致接着させることで一体化しても良い。また、リード具１自体を半割形成しないで、当初から移送成形・射出成形等により円筒部４から吹口部５側に向かって筒形状が次第に偏平となったリード具１として一体形成しても良い。
【００１７】
図２に示すように、リード具１を雅楽管楽器Ｐの吹口側開口端に挿着するに際し、雅楽管楽器Ｐの吹口側開口端内にリード具１が隙間なくピッタリと嵌め込められるように、リード具１の円筒部４における挿着側周面には貫挿固定部材６として例えば和紙がロール状に巻装されたりあるいは肉厚の薄い筒状のコルク材が嵌装されたりするものとしてある。この場合、和紙あるいはコルク材は、雅楽管楽器Ｐの吹口側開口端の内径に応じて適宜２重・３重としたり、あるいは和紙とコルク材とを自由に組み合わせて使用したりしても良い。また、リード具１を使用しないときは帽子と称する偏平な台形箱状のプラスチック製の蓋体８をリード具１の吹口部５に封着させるものとしてある。
【００１８】
図４に示すように、リード具１に対し音調律用のセメ具７を使用する場合には、成形時において予め吹口部５の開口幅Ｌを大きめに設定しておくのである。そして、偏平な楕円形リング状もしくは紡錘形リング状のセメ具７をリード具１の吹口部５側から差し込み、当該セメ具７を前後に強制的にでもスライド移動させることで吹口部５の横長の開口幅Ｌを縮小させたり拡大させたりすることにより音の調律が自在に行なえるようにしても良い。このセメ具７もリード具１、蓋体８と同様に例えば熱硬化性プラスチック・熱可塑性プラスチック等のプラスチック部材によって形成しておくと良いのであり、セメ具７自体は吹口部５の開口幅Ｌが予め設定固定されている場合には使用されないこともあり、単に装飾的に用いられるときもある。
【００１９】
次に以上のように構成された実施の形態についての使用の一例を説明する。図３に示すように、上側半割体１Ａ、下側半割体１Ｂの半割開口側同士を対向させて係合突部２を係合溝部３に嵌合させることで、円筒部４から吹口部５側に向かって筒形状が次第に偏平となって当該吹口部５側に横長偏平な開口幅Ｌが形成された状態にリード具１が組み立てられる。図２に示すように、円筒部４の挿着側周面に和紙あるいはコルク材等の貫挿固定部材６を巻装させ、当該貫挿固定部材６を介して円筒部４を雅楽管楽器Ｐの吹口側開口端に隙間なくピッタリと挿着させる。雅楽管楽器Ｐを吹奏する場合には開口幅Ｌが形成されている吹口部５に口を着けて思い切り膨らませることでリード具１の振動を雅楽管楽器Ｐに伝達させて吹奏が行なわれる。また、雅楽管楽器Ｐを吹奏しないときには、帽子と称されるプラスチック製の蓋体８によって吹口部５を閉蓋してから例えばプラスチック製の箱内に収納しておく。
【００２０】
一方、リード具１に対し音調律用のセメ具７を使用する場合には、図４に示すように、当該セメ具７をリード具１の吹口部５側から差し込み、当該セメ具７を奥にあるいは手前に強制的にでもスライド移動させることで吹口部５の開口幅Ｌを縮小させたり、セメ具７を手前に若干スライド移動させることで吹口部５の開口幅Ｌを拡大させたりすることにより音の調律を行う。
【図面の簡単な説明】
【００２１】
【図１】この考案の一実施の形態における使用状態の斜視図である。
【図２】同じく分解斜視図である。
【図３】リード具の組立方法を説明するものであり、（ａ）は分解斜視図、（ｂ）は組立後の状態の斜視図、（ｃ）は他の実施の形態における分解斜視図である。
【図４】リード具に音調律用のセメ具を挿着する状態の斜視図である。
【符号の説明】
【００２２】
Ｐ…雅楽管楽器                          Ｌ…開口幅
１…リード具                            １Ａ…上側半割体
１Ｂ…下側半割体                        ２…係合突部
３…係合溝部                            ４…円筒部
５…吹口部                              ６…貫挿固定部材
７…セメ具                              ８…蓋体
【図１】
0003109960.tif 000003
【図２】
0003109960.tif 000004
【図３】
0003109960.tif 000005
【図４】
0003109960.tif 000006